(57)【要約】【課題】アクチュエータを形成する電動モータへの電気的接続を、アクチュエータケース側に設けられた接続部へのコネクタの装着によって簡単に行なえるようにする。【解決手段】電動モータ３１を主に形成されるアクチュエータ３を保持するアクチュエータケース１のところに、一対のソケット部１１、１１等からなるアクチュエータケース側接続部１０を設ける。ハーネス５の連結される一対のプラグ状端子２１、２１を有するコネクタ２を設けるとともに、当該コネクタ２を形成する一対のプラグ状端子２１、２１をアクチュエータケース１に設けられたアクチュエータケース側接続部１０を形成するソケット部１１、１１内に嵌め込ませる。これによって電気的結線が形成され、当該電気的結線を経由して、バッテリ等からの電力が電動モータ３１へ供給されるようになる。【選択図】図１
2005280503.tif 000002
【特許請求の範囲】
【請求項１】
ミラーの角度調整を行なうためのものであって電動モータを主に形成されるアクチュエータを、その内部に有する電動ミラー装置において、上記アクチュエータを形成する電動モータ側へ電力を供給するためのハーネスの接続に関与する接続部の構造を、上記電動モータを保持するアクチュエータケースのところに設けられるものであって、上記電動モータ側接続端子を形成する凹陥状の形態からなる一対のソケット部、及びこれら一対の凹陥状ソケット部を囲うように設けられるものであって堤状の形態からなり、かつ、平面視においてコ字状の形態からなる壁部を形成し、更に、このような壁部を形成する壁面の所定の箇所に当該壁面から出張るように形成された調整凸部を有する突条壁からなるアクチュエータケース側接続部と、一方、これら構成からなるアクチュエータケース側接続部を形成する凹陥状ソケット部に嵌り込むように形成されるものであって、突片からなり、かつ、電力供給用ハーネスの接続されるプラグ状端子、並びにこれらプラグ状端子及びハーネスを囲むように形成されるものであって上記コ字状突条壁が嵌り込むように形成された凹溝を有するコ字状の外周壁を有するコネクタと、からなるようにしたことを特徴とする電動ミラー装置。
【請求項２】
請求項１記載の電動ミラー装置において、上記アクチュエータケース側接続部を形成する一対のソケット部間に、当該一対のソケット部間における電気的導通を遮断するように形成された堤状の形態からなる短絡防止壁を設けるようにしたことを特徴とする電動ミラー装置。
【請求項３】
請求項１または請求項２記載の電動ミラー装置において、上記アクチュエータケース側接続部を形成するコ字状の突条壁の両端末部のいずれか一方側のところに、上記突条壁の壁面から突出するように形成された係止突起を設け、一方、上記突条壁と係合するものであって上記コネクタ側に設けられるコ字状凹溝の開口端のところに、上記突条壁側に設けられた係止突起と係合するように形成された凹陥状の嵌合部を設けるようにしたことを特徴とする電動ミラー装置。
【発明の詳細な説明】
【技術分野】
【０００１】
本発明は、電動モータにてミラーの角度調整が行なわれる電動ミラー装置に関するものであり、特に、上記電動モータへの電力供給用ハーネスの接続部をコネクタを介して行なわせるようにした、組立性に優れたコネクタを有する電動ミラー装置に関するものである。
【背景技術】
【０００２】
従来の電動ミラー装置におけるコネクタに関する技術としては、例えば、特開平８−１９２６８０号公報記載のもの等が挙げられる。このものは、例えば、図６及び図７に示すように、電動モータ３００を保持するアクチュエータケース１００のところにコネクタ２００が結合されることによって、上記電動モータ３００への電力供給用ハーネス５００の電気的接続が行なわれるようになっているものである。具体的には、図６に示す如く、ハーネス５００の連結されたプラグ２３０が、電動モータ３００側に設けられた凹陥状のソケット部のところに嵌め込まれることによって、上記ハーネス５００と電動モータ３００との間の電気的接続が形成され、これによって電動モータ３００へは所定の電力が供給されるようになっているものである。一方、このようなプラグ２３０と電動モータ３００との間の接続（結合）を保持するために、上記プラグ２３０を内部に有するコネクタ２００は、図７に示す如く、当該コネクタ２００に一体的に設けられた係合用爪２１０を介して、上記電動モータ３００を保持するアクチュエータケース１００のところに取付けられるようになっている。具体的には、図６に示す如く、先端部にフック部を有するとともに所定のばね反力を有するように形成された係合用爪２１０をコネクタ２００のところに一体的に設けておくようにする。一方、電動モータ３００を保持するアクチュエータケース１００のところには、図７に示す如く、上記係合用爪２１０の係合する係合用穴１１０を設けておくようにする。このような係合用穴１１０内に、上記係合用爪２１０を挿入させて係合させることによって、コネクタ２００のアクチュエータケース１００への係合（取付け）を確実にするようにしているものである。このように、コネクタ２００のアクチュエータケース１００への係合を確実にすることによって、プラグ２３０の電動モータ３００への取付け（結合）を確実にし、これによって、電動モータ３００とハーネス５００との電気的接続を保持するようにしているものである。
【特許文献１】特開平８−１９２６８０号公報
【発明の開示】
【発明が解決しようとする課題】
【０００３】
ところで、上記従来の電動ミラー装置におけるコネクタ２００を介しての電気的接続は、コネクタ２００に設けられた係合用爪２１０をアクチュエータケース１００に設けられた係合用穴１１０内に係合させることによって行なわれるようになっているものであるため、電動ミラー装置の点検・整備作業時等において、コネクタ２００を取り外す必要がある場合には、特殊な治具等を用いなければ、上記係合用爪２１０を外すことができないと言う問題点がある。また、コネクタ２００を形成するハウジングの成形工程等が複雑になり、その製造コストが嵩むと言う問題点がある。このような問題点を解決するために、アクチュエータケース側のコネクタ接続部に、位置決め機能等を有する突条壁を設けるとともに、当該突条壁と係合する凹溝を有するコネクタ側にも、上記位置決め機能部と係合する凹陥部等を設けておくようにし、これによって、簡単な組付作業等にて、上記アクチュエータケース側接続部へのコネクタの結合が行なわれるようにしたコネクタによる電気的接続方式を有する電動ミラー装置を提供しようとするのが、本発明の目的（課題）である。
【課題を解決するための手段】
【０００４】
上記課題を解決するために、本発明においては次のような手段を講ずることとした。すなわち、請求項１記載の発明である第一の発明においては、ミラーの角度調整を行なうためのものであって電動モータを主に形成されるアクチュエータを、その内部に有する電動ミラー装置に関して、上記アクチュエータを形成する電動モータ側へ電力を供給するためのハーネスの接続に関与する接続部の構造を、上記電動モータを保持するアクチュエータケースのところに設けられるものであって、上記電動モータ側接続端子を形成する凹陥状の形態からなる一対のソケット部、及びこれら一対の凹陥状ソケット部を囲うように設けられるものであって堤状の形態からなり、かつ、平面視においてコ字状の形態からなる壁部を形成し、更に、このような壁部を形成する壁面の所定の箇所に当該壁面から出張るように形成された調整凸部を有する突条壁からなるアクチュエータケース側接続部と、一方、これら構成からなるアクチュエータケース側接続部を形成する凹陥状ソケット部に嵌り込むように形成されるものであって、突片からなり、かつ、電力供給用ハーネスの接続されるプラグ状端子、並びにこれらプラグ状端子及びハーネスを囲むように形成されるものであって上記コ字状突条壁が嵌り込むように形成された凹溝を有するコ字状の外周壁を有するコネクタと、からなるようにした構成を採ることとした。
【０００５】
また、請求項２記載の発明である第二の発明においては、請求項１記載の電動ミラー装置に関して、上記アクチュエータケース側接続部を形成する一対のソケット部間に、当該一対のソケット部間における電気的導通を遮断するように形成された堤状の形態からなる短絡防止壁を設けるようにした構成を採ることとした。
【０００６】
また、請求項３記載の発明である第三の発明においては、請求項１または請求項２記載の電動ミラー装置に関して、上記アクチュエータケース側接続部を形成するコ字状の突条壁の両端末部のいずれか一方側のところに、上記突条壁の壁面から一部突出するように形成された係止突起を設け、一方、上記突条壁と係合するものであって上記コネクタ側に設けられるコ字状凹溝の開口端のところに、上記突条壁側に設けられた係止突起と係合するように形成された凹陥状の嵌合部を設けるようにした構成を採ることとした。
【発明の効果】
【０００７】
第一の発明によれば、接続部における電気的接続（結合）は、上記アクチュエータケース側に設けられるものであって凹陥状のソケット部等からなるアクチュエータケース側接続部のところに、上記コネクタを係合させることによって形成されることとなる。そして、このような係合作業（結合作業）は簡単な操作にて円滑に行なわれるようになる。具体的には、上記アクチュエータケース側接続部に形成される一対のソケット部のところに、コネクタ側に形成された一対のプラグ状端子を差し込むとともに、上記ソケット部周りに形成された堤状の突条壁をコネクタ側に形成された凹溝内へ嵌り込ませるようにする。これによって、プラグ状端子のソケット部内への挿入による電気的接続が形成されるとともに、上記プラグ状端子を有するコネクタがアクチュエータケースの突条壁のところに確実に係合する（取付けられる）ことによって、上記ソケット部とプラグ状端子との間における電気的接続が確実に保持されるようになる。特に、本発明のものにおいては、上記突条壁の一部には当該突条壁から突出するように調整凸部が設けられるようになっており、上記突条壁が上記凹溝内に嵌り込んだ状態において、上記調整凸部が上記凹溝の壁面を押し拡げるように作用することとなる。すなわち、上記調整凸部の作用によって、突条壁と凹溝の壁面との間には弾性反発力が生ずるようになり、両者間の結合は適度の緊迫力を保った状態となる。従って、コネクタは上記アクチュエータケース側接続部のところに確実に取付けられるようになる。
【０００８】
次に、第二の発明によれば、アクチュエータケース側接続部を形成する一対のソケット部間には堤状の短絡防止壁が設けられるようになっているので、コネクタが装着された状態においては、上記一対のソケット部及び一対のプラグ状端子間においては、本接続部内に仮に雨水等が浸入したとしても、当該雨水等は上記短絡防止壁のところで遮断されるようになる。その結果、外部から浸入した雨水等による電気的短絡事故が未然に防止されるようになり、電気的接続の信頼性が高められるようになる。
【０００９】
次に、第三の発明によれば、アクチュエータケース側接続部を形成するコ字状の突条壁の端末部のところに突条壁の壁面から突出するように形成された係止突起を設けておくとともに、この係止突起をコネクタ側の凹溝の開口端部に設けられた凹陥状の嵌合部のところに嵌合させるようにしたので、コネクタのアクチュエータケース側接続部への取付け（装着）が確実に行なわれるようになる。具体的には、上記係止突起の上記コネクタ側に設けられた嵌合部内への嵌合作用によって、コネクタのアクチュエータケース側接続部への位置決めが確実に、かつ、円滑に行われるようになる。その結果、上記コネクタの上記アクチュエータケース側接続部への取付作業が、上記突条壁の上記凹溝内への係合作用と相まって、円滑に、かつ、効率良く行なわれるようになる。
【発明を実施するための最良の形態】
【００１０】
本発明を実施するための最良の形態について、図１ないし図５を基に説明する。本実施の形態にかかるものは、図１に示す如く、電動モータ３１を主に形成されるアクチュエータ３にて、ミラープレート６及び当該ミラープレート６上に搭載されるミラー９の首振り運動が制御され、これによって、ミラー９の鏡面角度の調整が行なわれるように形成された電動ミラー装置に関するものである。そして、このような構成からなる本電動ミラー装置の上記電動モータ３１への電気的接続は、当該電動モータ３１等を保持するアクチュエータケース１側に形成されたアクチュエータケース側接続部１０へのコネクタ２の取付け（装着）にて形成されるようになっているものである。具体的には、上記コネクタ２に設けられるものであって電源につながるハーネス５に接続されるプラグ状端子２１が、上記アクチュエータケース１に設けられたアクチュエータケース側接続部１０を形成するソケット部１１内に嵌め込まれることによって電気的結線が形成されるようになっているものである。このような構成からなる電気的結線を経由して、バッテリ等からの電力が上記電動モータ３１に供給され、これによって、電動モータ３１が作動をするとともに、当該電動モータ３１からの駆動力がアクチュエータ３を形成する駆動機構３５を経由して、更には、これらアクチュエータ３の設置されるアクチュエータベース３３を通してミラープレート６へと伝達されて、ミラープレート６の首振り運動が行なわれるようになる。このミラープレート６の首振り運動によって、当該ミラープレート６上に設置されるミラー９の鏡面角度調整がなされるようになっているものである。
【００１１】
次に、このような電気的結線を形成する電気的接続部の構成について、図２ないし図５を基に説明する。まず、上記電動モータ３１を保持するアクチュエータケース１のところに形成されるアクチュエータケース側接続部１０の構成について、図２ないし図４を基に説明する。このものは、図２に示す如く、所定のプラスチック材にて形成されるアクチュエータケース１の外側に設けられるものであって、凹陥状の形態からなる一対のソケット部１１、１１と、この一対のソケット部１１、１１の周りを囲うように設けられるものであって堤状の形態からなるとともに、その平面視においてコ字状の形態からなる突条壁１２と、からなることを基本とするものである。そして、このような構成からなるアクチュエータケース側接続部１０のところに、電力供給用のハーネス５の連結されたコネクタ２が装着されることによって、電動モータ３１への電力供給用配線の接続部が形成されるようになっているものである。なお、上記コ字状の形態からなる突条壁１２は、上記アクチュエータケース１が所定のプラスチック材にて形成されるものである場合には、上記アクチュエータケース１の成形加工時に、同時に、かつ、一体的に形成されるようになっているものである。
【００１２】
なお、このような構成からなるアクチュエータケース側接続部１０の詳細構造について、図３及び図４を基に説明する。具体的には、上記コ字状の突条壁１２にて囲まれた、その内部空間部のところには、上記一対のソケット部１１、１１の間を遮蔽するように形成された堤状の短絡防止壁１３が設けられるようになっている。このような短絡防止壁１３を設けることによって、上記コネクタ２が本アクチュエータケース側接続部１０のところに取付けられた（装着された）状態において、仮に上記コネクタ２内に雨水等が浸入したとしても、当該雨水等が上記一対のソケット部１１、１１間を流動するのを阻止するようにしているものである。
【００１３】
また、上記突条壁１２のところには、図３及び図４に示す如く、突条壁１２の外側の面のところに、数箇所にわたって外側へ出張るように形成された調整凸部１２１が設けられるようになっている。このような調整凸部１２１を設けることによって、このような調整凸部１２１を有する突条壁１２が、コネクタ２側に設けられた凹溝２２内（図５参照）に嵌り込んだ状態において、両者間に適度の緊迫力を与えるようになり、コネクタ２のアクチュエータケース側接続部１０への取付けが確実に行なわれるようになる。
【００１４】
また、上記コ字状の突条壁１２の、両端末部のうちのいずれか一方側のところであって突条壁１２の外側の壁面のところには、図３及び図４に示す如く、壁面の外側へ突出するように形成された突起部、すなわち、係止突起１２３が設けられるようになっている。この係止突起１２３は、コネクタ２が、図２に示す如く、上記アクチュエータケース側接続部１０のところに取付けられるときに、コネクタ２の凹溝２２のところに設けられた凹陥状の嵌合部２２３（図５参照）のところに嵌り込むようになっているものである。
【００１５】
次に、このような構成からなるアクチュエータケース側接続部１０のところに取付けられる（装着される）コネクタ２について、図５を基に説明する。このものは、所定のプラスチック材にて一体的に成形されるコネクタハウジング２９を基礎に形成されるものである。そして、その平面形態は、図５に示す如く、全体が矩形の形態を有するとともに、その外周部には、平面視においてコ字状の形態からなる外周壁２５が設けられるようになっているものである。そして、このコ字状の外周壁２５のところには、同じく平面視においてコ字状の形態からなるものであって、上記アクチュエータケース側接続部１０のところに設けられたコ字状の突条壁１２が嵌り込むように形成された凹溝２２が設けられるようになっている。また、このようなコ字状の凹溝２２の開口端部のところには、図５に示す如く、凹陥状の嵌合部２２３が、それぞれ設けられるようになっている。そして、これら両嵌合部２２３、２２３のうちの、いずれか一方のもののところに、図３及び図４に示す係止突起１２３が嵌り込むようになっているものである。
【００１６】
また、このようなコネクタハウジング２９のところには、図５に示す如く、一対のプラグ状端子２１、２１が設けられるようになっている。そして、このプラグ状端子２１、２１のところには、それぞれハーネス５が連結され、当該ハーネス５は、バッテリ等からなる電源に接続されるようになっているものである。
【００１７】
このような構成からなるアクチュエータケース側接続部１０のところに、上記コネクタ２が取付けられる（装着される）ことによって、電気的接続が形成され、バッテリ等の電源からは、所定の電力が上記アクチュエータ３を形成する電動モータ３１のところに供給されるようになる。このような電気的接続状態を形成する上記接続部における接続態様について、以下に説明する。まず、図２におけるアクチュエータケース側接続部１０を形成する一対のソケット部１１、１１のところに、コネクタ２に設けられた一対のプラグ状端子２１、２１（図５参照）を差し込む。そして、これと同時に、コネクタ２を形成するコネクタハウジング２９に設けられたコ字状の凹溝２２内に、上記アクチュエータケース側接続部１０のところに設けられた突条壁１２を嵌め込ませる。なお、これら一連の操作は、上記一対のプラグ状端子２１、２１の先端部をアクチュエータケース１に設けられた一対のソケット部１１、１１にのぞませた状態において、コネクタ２を上記アクチュエータケース１へ強く押し込むことによって行なわれる。このようなコネクタ２のアクチュエータケース１側への押し込み操作によって、コネクタ２のアクチュエータケース側接続部１０への取付作業（装着作業）は、比較的簡単に行なわれることとなる。
【００１８】
そして、このような簡単な操作によって、コネクタ２の上記アクチュエータケース１への取付け（装着）が行なわれた状態においては、上記アクチュエータケース側接続部１０とコネクタ２との間の接合状態は確実に保持されるようになる。すなわち、本実施の形態においては、上記アクチュエータケース１側に設けられた突条壁１２のところには当該突条壁１２から突出するように調整凸部１２１が設けられるようになっており、突条壁１２が上記コネクタ２側の凹溝２２内に嵌り込んだ状態において、上記調整凸部１２１が上記凹溝２２の壁面を押し拡げるように作用することとなり、突条壁１２と凹溝２２の壁面との間においては弾性反発力が生ずるようになる。その結果、両者間の結合は適度の緊迫力を保った状態で形成されるようになり、コネクタ２は上記アクチュエータケース側接続部１０のところに確実に取付けられるようになる。
【００１９】
また、アクチュエータケース側接続部１０を形成する一対のソケット部１１、１１間には、図３及び図４に示す如く、堤状の短絡防止壁１３が設けられるようになっているので、コネクタ２が装着された状態においては、本接続部内に仮に雨水等が浸入したとしても、当該雨水等は上記短絡防止壁１３のところで遮断されるようになる。その結果、外部から浸入した雨水等による電気的短絡事故等は未然に防止されるようになり、電気的接続の信頼性が高められるようになる。また、上記アクチュエータケース側接続部１０を形成するコ字状の突条壁１２の端末部のところには、突条壁１２の壁面から突出するように形成された係止突起１２３が設けられるとともに、当該係止突起１２３はコネクタ２側の凹溝２２の開口端部に設けられた凹陥状の嵌合部２２３（図５参照）のところに嵌合するようになっているので、コネクタ２のアクチュエータケース側接続部１０への取付け（結合）に際して、相対的な位置決めが確実に行なわれるようになる。従って、コネクタ２のアクチュエータケース側接続部１０への取付作業（装着作業）が、確実に、かつ、円滑に行われるようになる。また、このような組付性（装着性）に優れたコネクタ２を形成するコネクタハウジング２９の形状は、係合爪等を有しない単純な形態となっているので、その成形加工性においても優れたものとなり、製造コストの低減化が図られるようになる。
【図面の簡単な説明】
【００２０】
【図１】本発明の全体構成を示す展開斜視図である。
【図２】本発明の主要部をなすアクチュエータケース側接続部の全体構成を示す斜視図である。
【図３】アクチュエータケース側接続部周りの全体構成を示す部分斜視図である。
【図４】アクチュエータケース側接続部周りの全体構成を示す平面図である。
【図５】コネクタの全体構成を示す斜視図である。
【図６】従来例におけるコネクタの全体構成を示す斜視図である。
【図７】従来例におけるコネクタの装着状態を示す断面図である。
【符号の説明】
【００２１】
１  アクチュエータケース
１１  ソケット部
１２  突条壁
１２１  調整凸部
１２３  係止突起
１３  短絡防止壁
２  コネクタ
２１  プラグ状端子
２２  凹溝
２２３  嵌合部
２５  外周壁
２９  コネクタハウジング
３  アクチュエータ
３１  電動モータ
３３  アクチュエータベース
３５  駆動機構
５  ハーネス
６  ミラープレート
９  ミラー
１０  アクチュエータケース側接続部
【図１】
2005280503.tif 000003
【図２】
2005280503.tif 000004
【図３】
2005280503.tif 000005
【図４】
2005280503.tif 000006
【図５】
2005280503.tif 000007
【図６】
2005280503.tif 000008
【図７】
2005280503.tif 000009